(57)【要約】【課題】キャビティ内部を防水することができる電線端末構造を提供する。【解決手段】コネクタハウジングＣＨのキャビティＣＡに挿入され、電線１０端末における当該電線１０の絶縁被覆１２の部分をかしめつけるインシュレーションバレル部２７を有する端子金具２０と、電線１０が内部に挿通され、キャビティＣＡの開口部をシールするシール部３２とシール部３２の前方に連なってインシュレーションバレル部２７と絶縁被覆１２との間に挟まれてかしめられる筒部３６とを有するゴム栓３０とを備え、筒部３６のうち、インシュレーションバレル部２７にかしめられない部分のうち、キャビティＣＡへの挿入方向におけるインシュレーションバレル部２７の前方には、周方向に延びる溝部３７が形成されている。【選択図】図１
2011028935.tif 000002
【特許請求の範囲】
【請求項１】
コネクタハウジングのキャビティに挿入され、電線端末における当該電線の絶縁被覆の部分をかしめつけるインシュレーションバレル部を有する端子金具と、
前記電線が内部に挿通され、前記キャビティの開口部をシールするシール部と前記シール部の前方に連なって前記インシュレーションバレル部と前記絶縁被覆との間に挟まれてかしめられる筒部とを有するゴム栓と、を備え、
前記筒部のうち、前記インシュレーションバレル部にかしめられない部分であって、前記キャビティへの挿入方向における前記インシュレーションバレル部の前方には、周方向に延びる溝部が形成されていることを特徴とする電線端末構造。
【請求項２】
前記溝部は、前記筒部の全周に亘って形成されていることを特徴とする請求項１記載の電線端末構造。
【請求項３】
コネクタハウジングのキャビティに挿入され、底板部とこの底板部に載置され電線端末における当該電線の絶縁被覆の部分をかしめつけるインシュレーションバレル部を有する端子金具と、
前記電線が内部に挿通され、前記キャビティの開口部をシールするシール部と前記シール部の前方に連なって前記インシュレーションバレル部と前記絶縁被覆との間に挟まれてかしめられる筒部とを有するゴム栓と、を備え、
前記インシュレーションバレル部は、前記底板部の両側縁部からそれぞれ立ち上がる一対のかしめ片が前記キャビティへの挿入方向における前後に間隔を空けて並んで形成されており、
前記筒部のうち、前後に並んだ前記一対のかしめ片の間には、周方向に延びる溝部が形成されていることを特徴とする電線端末構造。
【請求項４】
前記溝部は、前記筒部の全周に亘って形成されていることを特徴とする請求項３記載の電線端末構造。
【発明の詳細な説明】
【技術分野】
【０００１】
本発明は、電線端末構造に関する。
【背景技術】
【０００２】
一般に、防水コネクタ等に用いられる電線の端末は、電線端末に取り付けられた端子金具がコネクタハウジングのキャビティに挿通されるとともに、端子金具の後端部に接続されてキャビティの開口部をゴム栓がシールする構造になっている（下記、特許文献１参照）。
このゴム栓は、電線が内部に挿通されるとともに、キャビティの開口部をシールするシール部と、筒部の前方に連なり円形状の外周面を有する筒部とを有する。
【０００３】
ここで、このゴム栓に電線が挿通された後、端子金具のインシュレーションバレル部が電線の絶縁被覆との間に挟まれた筒部をかしめ付けることにより端子金具とゴム栓が接続されるようになっている。そして、端子金具がコネクタハウジングのキャビティに挿入されると、ゴム栓のシール部によりキャビティの開口部から水分が浸入しないようにシールされる。
【先行技術文献】
【特許文献】
【０００４】
【特許文献１】特開２００４−２８８４３２号公報
【発明の概要】
【発明が解決しようとする課題】
【０００５】
ところで、ゴム栓の筒部がインシュレーションバレル部によりかしめ付けられると、かしめ付けの際の強い力により、筒部が捩れたり膨らんだりすることがある。このように筒部に生じる捩れや膨らみは、ゴム栓の内部に挿通された電線との間に水分の浸入しうる隙間を生じさせ、キャビティの内部が確実に防水されないおそれがある。
本発明は上記のような事情に基づいて完成されたものであって、キャビティ内部への水分の浸入を防ぐことができる電線端末構造を提供することを目的とする。
【課題を解決するための手段】
【０００６】
本発明に係る電線端末構造は、コネクタハウジングのキャビティに挿入され、電線端末における当該電線の絶縁被覆の部分をかしめつけるインシュレーションバレル部を有する端子金具と、前記電線が内部に挿通され、前記キャビティの開口部をシールするシール部と前記シール部の前方に連なって前記インシュレーションバレル部と前記絶縁被覆との間に挟まれてかしめられる筒部とを有するゴム栓と、を備え、前記筒部のうち、前記インシュレーションバレル部にかしめられない部分であって、前記キャビティへの挿入方向における前記インシュレーションバレル部の前方には、周方向に延びる溝部が形成されているところに特徴を有する（手段１）。
【０００７】
インシュレーションバレル部によるかしめ付けにより筒部に強い力がかかるとキャビティへの挿入方向における前記インシュレーションバレル部の前方に筒部が押し付けられ、インシュレーションバレル部の前方の筒部に膨らみが生じることがある。このように筒部に膨らみを有したままで、端子金具がコネクタハウジングのキャビティに挿入されると、膨らんだ部分がキャビティの孔壁に当接して筒部に破れが生じ、キャビティ内部に水分が浸入をするおそれがある。
一方、手段１の構成によれば、キャビティへの挿入方向におけるインシュレーションバレル部の前方に筒部が押し付けられても、当該インシュレーションバレル部の前方には、周方向に延びる溝部が形成されているため、この溝部が押し付けられた筒部の部分を吸収することができる。よって、筒部の膨らみ等を防止することができるため、キャビティ内部への水分の浸入を防ぐことができる。
【０００８】
手段１の構成に加えて、前記溝部は、前記筒部の全周に亘って形成されているようにしてもよい（手段２）。
手段２の構成のようにすれば、溝部は、筒部の全周に亘って形成されているため、より押し付けられた筒部の部分を吸収することができる。
【０００９】
本発明に係る電線端末構造は、コネクタハウジングのキャビティに挿入され、底板部とこの底板部に載置され電線端末における当該電線の絶縁被覆の部分をかしめつけるインシュレーションバレル部を有する端子金具と、前記電線が内部に挿通され、前記キャビティの開口部をシールするシール部と前記シール部の前方に連なって前記インシュレーションバレル部と前記絶縁被覆との間に挟まれてかしめられる筒部とを有するゴム栓と、を備え、前記インシュレーションバレル部は、前記底板部の両側縁部からそれぞれ立ち上がる一対のかしめ片が前記キャビティへの挿入方向における前後に間隔を空けて並んで形成されており、前記筒部のうち、前後に並んだ前記一対のかしめ片の間には、周方向に延びる溝部が形成されているところに特徴を有する（手段３）。
【００１０】
一対のかしめ片により、筒部を幅方向の両側からかしめ付けると、筒部のうち、キャビティへの挿入方向における一対のかしめ片の間の部分には、それぞれのかしめ片により周方向について１８０度異なる方向の応力が生じ、筒部の切れ等を生じさせ、この切れ等によりキャビティ内部に水分が浸入するおそれがある。
一方、手段３の構成によれば、筒部のうち、前後に並んだ一対のかしめ片の間には、周方向に延びる溝部が形成されているため、この溝部が一対のかしめ片の間に生じる応力を逃がすことができる。よって、筒部の切れ等を防止することができるため、キャビティ内部への水分の浸入を防ぐことができる。
【００１１】
手段３の構成に加えて、前記溝部は、前記筒部の全周に亘って形成されているようにしてもよい（手段４）。
手段４の構成のようにすれば、溝部は、筒部の全周に亘って形成されているため、より押し付けられた筒部の部分を吸収することができる。
【発明の効果】
【００１２】
本発明によれば、キャビティ内部への水分の浸入を防ぐことができる。
【図面の簡単な説明】
【００１３】
【図１】本発明の一実施形態に係る電線の端末に挿通されたゴム栓が端子金具にかしめられた状態を表す図
【図２】ゴム栓を表す側面図
【図３】ゴム栓を表す側断面図
【図４】ゴム栓を表す前面図
【発明を実施するための形態】
【００１４】
本発明の一実施形態を図１ないし図４を参照して説明する。
本発明に係る電線端末構造は、図１に示すように、電線１０の端末に挿通されたゴム栓３０と、このゴム栓３０を包み込むようにかしめ付ける端子金具２０との接続構造である。なお、これら端子金具２０及びゴム栓３０は、合成樹脂製のコネクタハウジングＣＨのキャビティＣＡに装着することができる。以下では、上下方向については図１を基準とし、前後方向については、図１の左方（キャビティへの挿入方向）を前方、右方を後方として説明する。
【００１５】
電線１０は、芯線１１の周囲が絶縁被覆１２で覆われてなる被覆電線であり、端末において絶縁被覆１２が剥ぎ取られて芯線１１が露出している。
端子金具２０は、雌形であって、箱型の端子接続部２１と、端子接続部２１に連なり電線１０が接続される電線接続部２４とからなる。
端子接続部２１は、図示しない相手側コネクタの雄端子が挿入孔に挿入されることにより、電気的接続が図られる。この端子接続部２１の上面の前端部にはキャビティＣＡから突出する図示しないランスが係止されるランス係止凸部２２が形成されるとともに、上面の後端部には、図示しないリテーナに係止されるリテーナ係止凸部２３が形成されている。
【００１６】
電線接続部２４は、電線１０が載置される底板部２５と、芯線１１を圧着するワイヤバレル部２６と、電線１０をゴム栓３０の上からかしめ付けて保持するインシュレーションバレル部２７とを有する。
底板部２５は、幅方向の中央部が低くなるように湾曲した半円筒形状をなす。
ワイヤバレル部２６は、底板部２５の両側部から延出されてなる一対のワイヤバレル片を有する。このワイヤバレル片は、電線１０の端末部において露出させた芯線１１部分をかしめ付ける。
【００１７】
インシュレーションバレル部２７は、第一かしめ片２８と第二かしめ片２９とからなる（かしめ片２８，２９が本発明の「一対のかしめ片」の一例となる）。このうち、第一かしめ片２８は、底板部２５の一方の側縁（図１の手前側）から立ち上げられる一方、第二かしめ片２９は、底板部２５の他方の側縁（図１の紙面奥側）から立ち上げられている。また、第二かしめ片２９は、軸方向において第一かしめ片２８の後方に連なるように配されている。
【００１８】
より詳しくは、第一かしめ片２８のうち、軸方向（キャビティへの挿入方向）における前端２８Ａは（水平な）軸方向に対してほぼ垂直方向に形成される一方、後端２８Ｂは、軸方向と垂直な方向に対してわずかに前方側に傾斜状に形成されており、これにより第一かしめ片２８は、先端側に向けてわずかに先細りする形状となっている。一方、第二かしめ片２９は、前端２９Ａは、第一かしめ片２８の後端２８に沿うように、軸方向と垂直方向に対してわずかに後方側に傾斜状に形成される一方、後端２９Ｂは軸方向に対してほぼ垂直方向に形成されており、これにより第二かしめ片２９は、先端側に向けてわずかに先細りする形状となっている。
【００１９】
そして、第一かしめ片２８及び第二かしめ片２９によるかしめ付けが行われると、第一かしめ片２８の後端２８及び第二かしめ片２９の前端２９Ａが共に同方向に傾斜しているために、両かしめ片２８，２９の間には、軸方向と垂直な方向よりもやや斜め方向に傾斜したほぼ一定の寸法の隙間Ｇが形成される（かしめ片２８，２９が前後に間隔Ｇを空けて並んで形成されている）。
【００２０】
端子金具２０の後端部には、電線１０が挿通されたゴム栓３０が接続されている。
ゴム栓３０は、図３に示すように、電線１０の絶縁被覆１２の部分に挿通可能な電線挿通孔３１を有する円筒形状であって、キャビティＣＡの開口部をシールするシール部３２と、シール部３２の後方に延出されてキャビティＣＡからはみ出す延出部３４と、シール部３２の前方側に連なりインシュレーションバレル部２７によってかしめられる筒部３６とを備える。
シール部３２は、全周に亘って外方に突出するリップ部３３が形成されている。
【００２１】
リップ部３３は、軸方向の前後に二つ並んで形成されており、このリップ部３３が全周に亘ってキャビティＣＡの内周面に密着することで、キャビティＣＡがシールされるようになっている。なお、電線挿通孔３１には、リップ部３３に対応して凹部が形成されている。
このシール部３２は、リップ部３３以外の外径についても筒部３６の外径よりもわずかに大きくされており、これにより筒部３６とシール部３２との境界部分には段差部３５が形成されている。
【００２２】
筒部３６は、円筒形状であって、ほぼ一定の肉厚で形成されており、この筒部３６は、先端側に向かうほど径（外径）がわずかに短くなっている。
この筒部３６の外周には、図２に示すように、筒部３６の全周に亘って環状に凹設された溝部３７，３８が前後２箇所に形成されている。
【００２３】
溝部３７，３８は、軸方向における筒部３６の前端の近傍に形成される第一溝部３７と、軸方向における筒部３６の中間部よりもわずかに後方に形成される第二溝部３８とからなる。
溝部３７，３８の形状は、共に、深くなる（底に近づく）程、幅寸法が狭くなるように傾斜した内壁を有する。
そして、電線１０がゴム栓３０の電線挿通孔３１に挿通された状態で、筒部３６が第一かしめ片２８及び第二かしめ片２９で筒部３６がかしめられると、図１に示すように、筒部３６に形成されている第一溝部３７が第一かしめ片２８よりも前方に形成されるように、筒部３６の前後方向における第一溝部３７の位置が設定されている。
【００２４】
また、筒部３６が第一かしめ片２８及び第二かしめ片２９で筒部３６がかしめられると、両かしめ片２８，２９の間には、軸方向と垂直な方向よりもやや斜め方向に傾斜してほぼ一定の寸法の隙間Ｇ（両かしめ片２８，２９の間の間隔）が形成されるが、第二溝部３８は、この隙間Ｇに、第二溝部３８の上部（上半分）の部分が概ね入るように、筒部３６の前後方向における第二溝部３８の位置が設定されている。
なお、第一かしめ片２８及び第二かしめ片２９によるかしめ付けは、ゴム栓３０を挿通させた電線１０の端末部を端子金具２０の上に配し、図示しない金属製のアンビル（下型）の上面にこの端子金具２０を載置し、上方に配置された金属製のクリンパ（上型）を下降させることにより行われる。
【００２５】
本実施形態によれば、以下の効果を奏する。
（１）インシュレーションバレル部２７によるかしめ付けにより筒部３６に強い力がかかるとキャビティＣＡへの挿入方向におけるインシュレーションバレル部２７の前方に筒部３６が押し付けられ、インシュレーションバレル部２７の前方の筒部３６に膨らみが生じることがある。このように筒部３６に膨らみを有したままで、端子金具２０がコネクタハウジングＣＨのキャビティＣＡに挿入されると、膨らんだ部分がキャビティＣＡの孔壁に当接して筒部３６に破れが生じ、キャビティＣＡ内部に水分が浸入をするおそれがある。
【００２６】
一方、本実施形態によれば、キャビティＣＡへの挿入方向におけるインシュレーションバレル部２７の前方に筒部３６が押し付けられても、当該インシュレーションバレル部２７の前方には、周方向に延びる第一溝部３７（溝部）が形成されているため、この第一溝部３７が押し付けられた筒部３６の部分を吸収することができる。よって、筒部３６の膨らみ等を防止することができるため、キャビティＣＡ内部への水分の浸入を防ぐことができる。
【００２７】
（２）溝部３７，３８は、筒部３６の全周に亘って形成されているため、より押し付けられた筒部３６の部分を吸収することができる。
（３）一対のかしめ片２８，２９により、筒部３６を幅方向の両側からかしめ付けると、筒部３６のうち、キャビティＣＡへの挿入方向における一対のかしめ片２８，２９の間の部分には、それぞれのかしめ片２８，２９により周方向について１８０度異なる方向の応力が生じ、筒部３６の切れ等を生じさせるおそれがある。
一方、本実施形態によれば、筒部３６のうち、前後に並んだ一対のかしめ片２８，２９の間には、周方向に延びる第二溝部３８（溝部）が形成されているため、この第二溝部３８が一対のかしめ片２８，２９の間に生じる応力を逃がすことができる。よって、筒部３６の切れ等を防止することができるため、キャビティＣＡ内部への水分の浸入を防ぐことができる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）実施形態では、溝部３７，３８を筒部３６の全周に設ける構成としたが、全周に形成されていなくてもよい。例えば、筒部３６のうち、かしめ付けの際にかしめ片が当接する部分（例えば筒部３６の上半分）のみに溝部３７，３８を形成するようにしてもよい。
【符号の説明】
【００２９】
１０…電線
１１…芯線
１２…絶縁被覆
２０…端子金具
２５…底板部
２６…ワイヤバレル部
２７…インシュレーションバレル部
２８…第一かしめ片
２９…第二かしめ片
３０…ゴム栓
３１…電線挿通孔
３２…シール部
３３…リップ部
３６…筒部
３７…第一溝部
３８…第二溝部
ＣＨ…コネクタハウジング
ＣＡ…キャビティ
Ｇ…隙間
【図１】
2011028935.tif 000003
【図２】
2011028935.tif 000004
【図３】
2011028935.tif 000005
【図４】
2011028935.tif 000006